(57)【特許請求の範囲】
【請求項１】
固定側金型と，その固定側金型に対して接離可能に設けられた可動側金型とを有し，
前記固定側金型と前記可動側金型とを圧接させた状態で，スプルー部，ランナー部からゲート部を通って製品転写部に樹脂材料を充填することにより，外径が２ｍｍ〜１２ｍｍの範囲内であるとともに光学面の面粗度がＲａ２０ｎｍ以下であるプラスチックレンズを複数個同時に，前記スプルー部，前記ランナー部，および前記ゲート部にそれぞれ対応する部分が一体的に形成された状態で成形するプラスチックレンズの製造装置において，
前記可動側金型と前記固定側金型とを圧接させる際の型締め力が１５０ｋＮ以下であり，
次の条件（１）および（２）を満たすことを特徴とするプラスチックレンズの製造装置。
０．２＜（最小ゲート厚）／（最大ランナー厚）＜１        （１）
０．４＜（ゲート長）／（最大ランナー厚）＜４            （２）
【請求項２】
請求項１に記載するプラスチックレンズの製造装置において，
次の条件（３）を満たすことを特徴とするプラスチックレンズの製造装置。
１．０ｍｍ＜（スプルー部の出口径）＜５．５ｍｍ          （３）
【請求項３】
請求項１または請求項２に記載するプラスチックレンズの製造装置において，
次の条件（４）を満たすことを特徴とするプラスチックレンズの製造装置。
１０ｍｍ＜（スプルー長）＜４０ｍｍ                      （４）
【請求項４】
請求項１から請求項３のいずれか１つに記載するプラスチックレンズの製造装置において，
次の条件（５）を満たすことを特徴とするプラスチックレンズの製造装置。
１＜（スプルー部の出口径）／（スプルー部の入口径）＜８  （５）
【請求項５】
請求項１から請求項４のいずれか１つに記載するプラスチックレンズの製造装置において，
前記可動側金型と前記固定側金型との少なくとも一方の金型に挿入可能な転写部材を有し，
その転写部材に製品転写部が設けられていることを特徴とするプラスチックレンズの製造装置。
【請求項６】
請求項１から請求項５のいずれか１つに記載するプラスチックレンズの製造装置において，
１回の型締めにより，少なくとも４個の多数個取りが可能であることを特徴とするプラスチックレンズの製造装置。
【発明の詳細な説明】
【技術分野】
【０００１】
本発明は，プラスチックレンズを成形するプラスチックレンズの製造装置に関する。さらに詳細には，小物（外径が２ｍｍ〜１２ｍｍの範囲内）で高精度（面粗度がＲａ２０ｎｍ以下）なプラスチックレンズを成形対象とするプラスチックレンズの製造装置に関するものである。
【背景技術】
【０００２】
近年，対物レンズ等の光学部品は，プラスチック等の熱可塑性樹脂の射出成形によって製造されている（例えば，特許文献１や特許文献２参照）。プラスチックを利用して光学部品を成形すると，均一な形状の製品を迅速に製造することができるため，大量生産に適している。このプラスチックレンズを利用する光学機器は，年々小型化および高性能化しており，それにともなってプラスチックレンズに対する小型化および高精度化の要求も高まっている。【０００３】
またこの他，光学部品の量産に関する技術として，１回の型締め・樹脂充填によって成形可能な成形品の数を多数個とする，いわゆる多数個取りの技術が検討されている。多数個取り用の金型は，固定金型の中央に配置された１本のスプルー部を備え，そのスプルー部を中心として複数本のランナー部が延びている。すなわち，スプルー部の回りにレンズの転写部が対称に備えられている。この多数個取りの技術では，各転写部への転写性のバラツキを低減しつつ，いかに多数個取りの個数を増やすかが採算に大きく影響する。
【特許文献１】特開平１１−４２６８５号公報
【特許文献２】特開２００１−２７２５０１号公報
【発明の開示】
【発明が解決しようとする課題】
【０００４】
しかしながら，小物でかつ高精度な光学部品を多数個取りするには，次のような問題があった。すなわち，光学部品の射出成形においては，ゲート部およびランナー部の形状が成形時の転写性および成形品の安定性に影響を及ぼすことが知られている。さらに，それらの形状に加え，スプルー部の形状が成形時の転写性および成形品の安定性に影響を及ぼすことが知られている。【０００５】
例えば，ゲート部の厚さ（以下，「ゲート厚」とする）が薄いと，ゲート部で樹脂の流路が急激に絞られる。そのため，良好な転写性を確保するためには樹脂を高速で射出する必要があり，その影響でせん断発熱が大きくなる。そして，結果として樹脂が高温状態となり，樹脂の劣化を助長することになる。また，ゲート部の近傍に応力が集中することになり，複屈折が顕著になる。また，離型変形が生じ易く，成形品の安定性を欠くことになる。【０００６】
また，例えば，スプルー部の出口径が小さいと，樹脂の温度の低下が早い。そのため，転写部への充填が不十分となり，結果として良好な転写性が確保できない。また，固定残りや離型不良等の不具合が不可避的に生じる。一方，出口径が大きいと，スプルー部が冷却・固化するまでに時間がかかる。つまり，スプルー部が固化する時間で冷却時間が決定され，製造サイクルの短縮化が困難になる。また，樹脂の射出圧や速度が安定せず，成形品の安定性を欠く。【０００７】
本発明は，前記した従来の光学部品の製造装置が有する問題点を少なくとも１つ解決するためになされたものである。すなわちその課題とするところは，小物でかつ高精度なプラスチックレンズの製造装置において，良好な転写性の確保および成形品の安定性の確保が図られたプラスチックレンズの製造装置を提供することにある。
【課題を解決するための手段】
【０００８】
この課題の解決を目的としてなされたプラスチックレンズの製造装置は，固定側金型と，その固定側金型に対して接離可能に設けられた可動側金型とを有し，
前記固定側金型と前記可動側金型とを圧接させた状態で，スプルー部，ランナー部からゲート部を通って製品転写部に樹脂材料を充填することにより，外径が２ｍｍ〜１２ｍｍの範囲内であるとともに光学面の面粗度がＲａ２０ｎｍ以下であるプラスチックレンズを複数個同時に，前記スプルー部，前記ランナー部，および前記ゲート部にそれぞれ対応する部分が一体的に形成された状態で成形するプラスチックレンズの製造装置において，
前記可動側金型と前記固定側金型とを圧接させる際の型締め力が１５０ｋＮ以下であり，
次の条件（１）および（２）を満たすことを特徴としている。
０．２＜（最小ゲート厚）／（最大ランナー厚）＜１            （１）
０．４＜（ゲート長）／（最大ランナー厚）＜４                （２）
【０００９】
すなわち，本発明のプラスチックレンズの製造装置は，ゲート部の寸法とランナー部の寸法とを上記の条件（１）を満たすように規定している。つまり，条件（１）を満たすことにより，ゲート部での絞りが緩和され，良好な樹脂の流動性が確保される。そのため，結果として良好な転写性が確保される。さらに，ゲート部の近傍の応力が弱まるため，複屈折が緩和される。
【００１０】
また，上記の条件（２）を満たすことにより，型開時あるいは突出し時の離型変形等を回避することができる。そのため，成形品の安定性が確保される。
【００１１】
また，本発明のプラスチックレンズの製造装置は，スプルー部の形状が，次の条件（３）〜（５）を満たすこととするとよりよい。
１．０ｍｍ＜（スプルー部の出口径）＜５．５ｍｍ          （３）
１０ｍｍ＜（スプルー長）＜４０ｍｍ                      （４）
１＜（スプルー部の出口径）／（スプルー部の入口径）＜８  （５）
【００１２】
すなわち，本発明のプラスチックレンズの製造装置は，スプルー部の寸法を上記の条件（３），（４），（５）を満たすように規定している。つまり，条件（３）を満たすことにより，スプルー部における良好な樹脂の流動性が確保される。そのため，良好な転写性が確保される。また，条件（４）を満たすことにより，より樹脂の流動性が向上し，良好な転写性が確保される。また，固定残りや離型不良が解消され，成形安定性が確保される。また，条件（５）を満たすことにより，より固定残りや離型不良が解消され，成形安定性が確保される。また，糸引きも抑制される。
【発明の効果】
【００１３】
本発明のプラスチックレンズの製造装置によれば，ゲート部，ランナー部，およびスプルー部の寸法について上記条件（１）〜（５）を満たすように規定することにより，良好な樹脂の流動性を確保している。さらに，型開時あるいは突出し時の離型変形等を回避している。よって，小物でかつ高精度なプラスチックレンズの製造装置において，良好な転写性の確保および成形品の安定性の確保が図られたプラスチックレンズの製造装置が提供されている。
【図面の簡単な説明】
【００１４】
【図１】実施の形態に係るプラスチックレンズの成形機の概略構成（金型離間）を示す図である。
【図２】実施の形態に係るプラスチックレンズの成形機の概略構成（金型圧接）を示す図である。
【図３】プラスチックレンズの成形金型の概略構成を示す断面図である。
【図４】プラスチックレンズの成形金型の圧接面を示す図である。
【図５Ａ】矩形ゲート部の断面（ゲート高＜ゲート幅）を示す図である。
【図５Ｂ】丸型ゲート部の断面（ゲート高＜ゲート幅）を示す図である。
【図６Ａ】矩形ゲート部の断面（ゲート高＞ゲート幅）を示す図である。
【図６Ｂ】丸型ゲート部の断面（ゲート高＞ゲート幅）を示す図である。
【図７Ａ】矩形ランナー部の断面（横長）を示す図である。
【図７Ｂ】丸型ランナー部の断面（横長）を示す図である。
【図８Ａ】矩形ランナー部の断面（縦長）を示す図である。
【図８Ｂ】丸型ランナー部の断面（縦長）を示す図である。
【図９】スプルー部の形状を示す図である。
【図１０】成形金型の全体構成を示す断面図である。
【符号の説明】
【００１５】
１      固定金型（固定側金型）
１０    固定プラテン
１１    キャビティ（転写部材）
１２    コア（転写部材）
１３    ベース金型
２      可動金型（可動側金型）
２０    可動プラテン
２１    キャビティ（転写部材）
２２    コア
２３    ベース金型
５０    製品転写部
５１    ゲート部
５２    ランナー部（ランナー部）
５３    スプルー部
１００  成形機（プラスチックレンズの製造装置）
【発明を実施するための最良の形態】
【００１６】
以下，本発明を具体化した実施の形態について，添付図面を参照しつつ詳細に説明する。なお，本実施の形態は，プラスチックレンズの成形機に本発明を適用したものである。成形品であるプラスチックレンズは，外径が２ｍｍ〜１２ｍｍの範囲内であり，その光学面の面粗度がＲａ２０ｎｍ以下であるものを対象としている。なお，プラスチックレンズは，レンズ部とその外周に形成されたフランジ部とから構成される。フランジ部はレンズホルダ等に支持される部分である。このプラスチックレンズは，例えば，光ピックアップ装置等の光ピックアップ光学系やカメラ機能付き携帯電話等の撮像光学系に利用される。【００１７】
図１および図２は，本形態の成形機１００の概略構成を示している。なお，図１は金型を離間させた状態を示しており，図２は金型を圧接させた状態を示している。また，図３，図４および図１０は，本形態の金型の概略構成を示している。なお，図３および図１０は圧接させた状態の側面断面を，図４は固定金型の圧接面をそれぞれ示している。図３は図１０の破線部分を拡大した図である。【００１８】
具体的に，本形態のプラスチックレンズの成形機１００は，図１あるいは図２に示すように固定金型１を備えた固定プラテン１０と，固定金型１に対して圧接・離間可能に設けられた可動金型２を備えた可動プラテン２０とを有している。本形態の成形機１００は，型締め力が１５トン（１５０ｋＮ）程度の小型成形機である。【００１９】
固定プラテン１０には，溶融樹脂の注入口が設けられており，射出部８０によって金型内に樹脂が射出される。射出部８０については，プリプラ方式のものであってもインラインスクリュ方式のものであってもよい。【００２０】
また，成形機１００は，図３に示すように，固定金型１のベース金型１３には，キャビティ１１が挿入されており，さらにそのキャビティ１１には，コア１２が挿入されている。また同じく，可動金型２のベース金型２３には，キャビティ２１が挿入されており，さらにそのキャビティ２１には，コア２２が挿入されている。すなわち，キャビティおよびコアは，ベース金型の入れ子として構成されている。本明細書では，プラスチックレンズのレンズ部を形作る転写部が形成された部材を「コア」とし，レンズ部の外周に位置するフランジ部を形作る転写部が形成された部材を「キャビティ」とする。【００２１】
また，ベース金型１３は，圧接面から見た外形形状が矩形である。さらに，キャビティ１１についても，図４に示すように，圧接面から見た外形形状が矩形である。また，コア１２については，圧接面から見た外形形状が円形である。可動金型２の構成も同様である。【００２２】
具体的にベース金型１３には，キャビティ１１を収容するためのポケット（凹み）が設けられており，そのポケットの幅がキャビティ１１の幅よりも僅かに広い。そして，キャビティ１１を収容した際に生じるキャビティ１１とベース金型１３との隙間をスペーサブロックによって充填している。このスペーサブロックにより，キャビティ１１の位置を調節するとともにキャビティ１１を固定している。【００２３】
また，固定金型１と可動金型２とが圧接することにより，一体となった金型内部に空隙が形成される（図３および図１０参照）。この空隙は，製品転写部５０，ゲート部５１，ランナー部５２，および溶融樹脂の注入口からランナー部５２までの溶融樹脂の流路となるスプルー部５３とによって構成される。【００２４】
また，転写部材の転写部の表面には，金属メッキを施すことが好ましい。金属メッキ層は，１０〜１００μｍの範囲で，適宜厚さを決定する。また，転写面に光路差付与構造（例えば，回折レンズ）を設ける場合は，このメッキ層を切削加工して設けることが好ましい。また，離型性向上や型保護のため，窒化クロム，窒化チタン，ダイヤモンドライクカーボン（ＤＬＣ）などによる表面処理を行ってもよい。これにより，成形・転写する際，金型内における樹脂の流動性や，型から成形品を取り出す際の剥離性（離型性）等が向上する。【００２５】
続いて，本形態の成形機１００におけるプラスチックレンズの作製過程について説明する。なお，本形態の成形機１００は，多数個取り用の成形機であるが，説明の便宜を図るため，以下の説明では１つのプラスチックレンズの作製過程として説明する。本形態の成形機１００では，両金型が圧接された状態で，溶融樹脂がスプルー部，ランナー部５２およびゲート部５１を順に介して製品転写部５０に流入する。金型内に流入した樹脂が製品転写部５０まで行き渡り，冷却・固化した後，可動金型２を固定金型１から離間させる。そして，エジェクタ等によって成形品が取り出される。取り出された成形品は，プラスチックレンズ本体の他，プラスチックレンズの光学面の外周に位置するフランジ部と，スプルー部，ランナー部５２およびゲート部５１に対応する部分とが一体的に形成されている。そして，後のカット工程でゲート部５１に対応する部分が切り離されることにより，プラスチックレンズが抽出される。【００２６】
プラスチックレンズの成形条件としては，例えば溶融樹脂として非晶質ポリオレフィン系樹脂を利用する場合，金型の温度を１２０℃とし，樹脂温度を２８０℃とし，射出速度を５０ｍｍ／ｓｅｃとし，保持圧力を１００ＭＰａとする。非晶質ポリオレフィン系樹脂としては，例えば，Ｚｅｏｎｅｘ（登録商標：日本ゼオン），Ａｐｅｌ（登録商標：三井化学）が挙げられる。【００２７】
なお，本形態の成形機１００に使用されるプラスチック樹脂としては，光学材料として一般的に用いられる透明樹脂材料であればよい。例えば、特願２００４−１４４９５１号，特願２００４−１４４９５３号，特願２００４−１４４９５４号等に記載されているような樹脂を適宜好ましく採用することができる。具体的にはアクリル樹脂，環状オレフェン樹脂，ポリカーボネート樹脂，ポリエステル樹脂，ポリエーテル樹脂，ポリアミド樹脂，ポリイミド樹脂等が挙げられる。【００２８】
また，プラスチック樹脂は，温度が上昇することにより屈折率が低下してしまうが，大部分の無機粒子は温度が上昇すると屈折率が上昇する。そこでこれらの性質をあわせて打ち消しあうように作用させることにより，屈折率変化が生じないようにする技術が知られている。そのためには，母材となる樹脂に３０ｎｍ以下，好ましくは２０ｎｍ以下，さらに好ましくは１０〜１５ｎｍの範囲内の無機粒子を分散させるとよい。【００２９】
続いて，ゲート部５１，ランナー部５２およびスプルー部５３の形状について説明する。本形態の成形機１００では，断面矩形形状のゲート部５１と，断面円形形状のランナー部５２とを備えている。そして，ゲート部５１の高さ方向の寸法（図３中の寸法ａ）を「ゲート高」と，ゲート部５１の幅方向の寸法（図４中の寸法ｂ）を「ゲート幅」と，ゲート部５１の長さ（図３中の寸法Ｌ１）を「ゲート長」とする。また，ランナー部５２の高さ方向の寸法（図３中の寸法Ａ）を「ランナー高」と，ランナー部５２の幅方向の寸法（図４中の寸法Ｂ）を「ランナー幅」とする。【００３０】
さらに，本明細書では，ゲート高とゲート幅とのうち，小さい方の寸法を「ゲート厚」とする。具体的には，図５Ａおよび図５Ｂに示すようにゲート高がゲート幅よりも小さい場合，ゲート高がゲート厚となる。一方，図６Ａおよび図６Ｂに示すようにゲート高がゲート幅よりも大きい場合，ゲート幅がゲート厚となる。なお，光学レンズの成形機では，殆どのゲート部がゲート高が小さい形態（図５Ａ，図５Ｂ）であり，以下の説明でもゲート高がゲート厚であることとして説明する。また，ゲートは，ゲートの流路の途中で厚さが変わるもの（例えば，ファンゲート）がある。そのため，ゲートの流路中，最小のゲート厚を「最小ゲート厚」とする。【００３１】
また，本明細書では，ランナー高とランナー幅とのうち，大きい方の寸法を「ランナー厚」とする。具体的には，図７Ａおよび図７Ｂに示すようにランナー部５２の断面が横長の場合，横方向の寸法がランナー厚となる。一方，図８Ａおよび図８Ｂに示すようにランナー部５２の断面が縦長の場合，縦方向の寸法がランナー厚となる。なお，ランナー部５２は，樹脂のリード方向において，全てが同じランナー厚であるとは限らない。そのため，スプルー部５３からゲート部５１に達するまでの流路中，最大のランナー厚を「最大ランナー厚」とする。【００３２】
また，図９に示すように，スプルー部５３の溶融樹脂の注入口からランナー部５２との継ぎ目までの長さ（図９中の寸法Ｌ２）を「スプルー長」とし，溶融樹脂の注入口となる部分の径（図９中の寸法Ｒｉｎ）を「入口径」とし，ランナー部５２との継ぎ目となる部分の径（図９中の寸法Ｒｏｕｔ）を「出口径」とする。【００３３】
本出願人は，実験等により最小ゲート厚と最大ランナー厚との間，およびゲート長と最大ランナー厚との間に関連があることを見出し，良好な転写性を維持するための比率を規定した。【００３４】
まず，本形態の成形機１００では，最小ゲート厚と最大ランナー厚との比率を，次の条件（１）を満たす範囲内とする。
０．２＜（最小ゲート厚）／（最大ランナー厚）＜１        （１）
この比率が０．２以下であると，樹脂の流れがゲート部５１で急激に絞られるために充填性が悪化する。そして結果として，転写性が悪くなる。さらに，ゲート部５１の近傍に応力が集中することから，複屈折が顕著になる。また，この比率が１．０以上であると，ゲート部５１がゲートとしての役割を果たさなくなり，製品転写部５０のみの転写性を制御することが困難となる。【００３５】
さらに，本形態の成形機１００では，ゲート長と最大ランナー厚との比率を，次の条件（２）を満たす範囲内とする。
０．４＜（ゲート長）／（最大ランナー厚）＜４            （２）
この比率が０．４以下であると，２次工程に影響を及ぼす。すなわち，ゲート長が短くなり過ぎるためにゲート部５１と成形品との切り離しが困難となる。あるいは，ランナー厚が大きくなり過ぎるために製造サイクルが長くなる。また，この比率が４以上であると，ゲート長が長くなるために離型変形が生じる。【００３６】
また，本出願人は，実験等によりスプルー部５３の出口径の大きさ，スプルー長，およびスプルー部５３の出口径とスプルー部５３の入口径との間に関連があることを見出し，良好な転写性を維持するための寸法および比率を規定した。【００３７】
まず，本形態の成形機１００では，スプルー部５３の出口径の大きさを次の条件（３）を満たす範囲内とする。
１．０ｍｍ＜（スプルー部の出口径）＜５．５ｍｍ          （３）
スプルー部５３の出口径が１．０ｍｍ以下であると，樹脂の温度低下が早くなり，製品転写部５０への樹脂の充填が不十分となる。一方，出口径が５．５ｍｍ以上であると，スプルー部５３の冷却・固化時間が長くなり，製造サイクルが長くなる。【００３８】
さらに，本形態の成形機１００では，スプルー長を次の条件（４）を満たす範囲内とする。
１０ｍｍ＜（スプルー長）＜４０ｍｍ                      （４）
スプルー長が１０ｍｍ以下であると，固定金型１のベース金型１３に射出部８０のノズルの挿入のための掘り込みが必要となり，金型の剛性が低下する。そのため，型締めおよびノズルタッチにて金型にひずみが生じる。一方，スプルー長が４０ｍｍ以上であると，ランナー部５２に至るまでの樹脂の温度の低下が大きく，製品転写部５０への樹脂の充填が不十分になる。さらに，型開時の抵抗が大きく，固定残りの原因となる。【００３９】
さらに，本形態の成形機１００では，スプルー部５３の出口径とスプルー部５３の入口径の比率を，次の条件（５）を満たす範囲内とする。
１＜（スプルー部の出口径）／（スプルー部の入口径）＜８  （５）
この比率が１以下であると，スプルー部５３の形状が逆テーパとなり，固定残りが必ず発生する。一方，この比率が８以上であると，溶融樹脂がスプルー部５３に達した後の急激な流路の拡大により，樹脂の射出圧および速度が不安定となる。そのため，結果として成形安定性が低下する。さらには，糸引き５４（図９参照）が大きくなる。【００４０】
以上詳細に説明したように本形態の成形機１００では，ゲート部５１，ランナー部５２およびスプルー部５３の形状を規定することとしている。すなわち，最小ゲート厚／最大ランナー厚を０．２〜１．０の範囲内とする（条件（１））ことにより，樹脂の流れの急激な絞りを回避し，樹脂の温度を安定させている。そのため，良好な転写性を確保できる。さらには，ゲート部５１の近傍での応力集中が回避されることから，ゲート部５１の近傍の複屈折が緩和される。さらには，ゲート長／最大ランナー厚を０．４〜４．０の範囲内とする（条件（２））ことにより，離型変形を回避しつつ製造サイクルの短縮化を図ることができる。よって，ゲート部５１の寸法およびランナー部５２の寸法が条件（１）および条件（２）を満たすことにより，小物でかつ高精度な光学部品の製造装置において，良好な転写性の確保および成形品の安定性の確保が図られる。【００４１】
また，スプルー部５３の出口径を１．０ｍｍを超えて５．５ｍｍ未満の範囲内とする（条件（３））ことにより，樹脂の流動性が向上し，良好な転写性が確保される。さらには，スプルー長を１０ｍｍを超えて４０ｍｍ未満の範囲内とする（条件（４））ことにより，より樹脂の流動性が向上し，良好な転写性が確保される。また，固定残りや離型不良が解消され，成形安定性が確保される。さらには，スプルー部５３の出口径／スプルー部５３の入口径を１〜８の範囲内とする（条件（５））ことにより，より固定残りや離型不良が解消され，成形安定性が確保される。また，糸引き５４も抑制される。よって，スプルー部５３の寸法が条件（３），条件（４）および条件（５）をすべて満たすことにより，良好な転写性の確保および成形品の安定性の確保が図られる。【００４２】
なお，本実施の形態は単なる例示にすぎず，本発明を何ら限定するものではない。したがって本発明は当然に，その要旨を逸脱しない範囲内で種々の改良，変形が可能である。例えば，射出部については，プリプラ方式やインラインスクリュ方式に限るものではなく，例えばインラインプランジャ方式のものであってもよい。【００４３】
また，本実施の形態の成形機１００では，プラスチックレンズの成形金型がコアとキャビティとに分かれているが，これに限るものではない。すなわち，コアとキャビティとが一体化したもの（レンズ部の転写部とフランジ部の転写部と一体となっているもの）であってもよい。【００４４】
また，本実施の形態の成形機１００では，ゲート部５１の断面を矩形としているが，円形であってもよい。また，ランナー部５２の断面を円形としているが，矩形であってもよい。【００４５】
また，成形品である光学部品は，母材となるプラスチック樹脂に微粒子を混合される場合，その混合方法は特に限定されるものではない。すなわち，プラスチック樹脂と微粒子をそれぞれ独立して作成し，その後に両者を混合させる方法，予め作成した微粒子が存在する条件でプラスチック樹脂を作成する方法，予め作成したプラスチック樹脂が存在する条件で微粒子を作成する方法，プラスチック樹脂と微粒子の両者を同時に作成させる方法など，いずれの方法をも採用できる。具体的には，例えば，プラスチック樹脂が溶解した溶液と，微粒子が均一に分散した分散液の二液を均一に混合し，プラスチック樹脂に対して溶解性が乏しい溶液中に打ち合わせることにより，目的とする材料組成物を得る方法を好適に挙げることができるが，これに限定されるものではない。【００４６】
また，光学部品において，プラスチック樹脂と微粒子の混合の程度は特に限定されるものではないが，望ましくは均一に混合していることとする。混合の程度が不十分の場合には，特に屈折率やアッベ数，光線透過率などの光学特性に影響を及ぼすことが懸念され，また熱可塑性や溶融成形性などの樹脂加工性にも影響を及ぼすことが懸念される。混合の程度は，その作成方法に影響されることが考えられ，プラスチック樹脂及び微粒子の特性を十分に勘案して，方法を選択することが重要である。プラスチック樹脂と微粒子の両者が均一に混合するために，プラスチック樹脂と微粒子を直接結合させる方法等も好適に用いることができる。
【図１】
0004730307.tif 000002
【図２】
0004730307.tif 000003
【図３】
0004730307.tif 000004
【図４】
0004730307.tif 000005
【図５Ａ】
0004730307.tif 000006
【図５Ｂ】
0004730307.tif 000007
【図６Ａ】
0004730307.tif 000008
【図６Ｂ】
0004730307.tif 000009
【図７Ａ】
0004730307.tif 000010
【図７Ｂ】
0004730307.tif 000011
【図８Ａ】
0004730307.tif 000012
【図８Ｂ】
0004730307.tif 000013
【図９】
0004730307.tif 000014
【図１０】
0004730307.tif 000015